(57)【要約】【課題】ネジ等を使用することなくフィンをボード本体に着脱可能に固定できるとともに、サーファが転倒してフィンに触れた場合等には速やかにフィンがボード本体から外れて、サーファ身体への傷害を回避できるサーフボードのフィン取付構造を提供する。【解決手段】サーフボードのボード本体ＢにフィンＦの基部３を嵌入するための凹所１１を形成し、フィン基部３の前端部３１にはこれを貫通させて第１軸体３４を設けて、上記凹所１１に、フィン基部３を凹所１１に嵌入させた状態で第１軸体３４を着脱可能でかつ回動可能に係止する第１溝条４１と、フィン基部３の後端部３２を係止する凹所後端面１１ｃとを設け、当該凹所後端面１１ｃは、第１軸体３４を中心とした所定以上の回動操作力でのみその係止状態を解消してフィン基部３の後端部３２を凹所１１内から脱出させることができるように設定されている。【選択図】        図２
2006280839.tif 000002
【特許請求の範囲】
【請求項１】
サーフボードのボード本体にフィンの基部を嵌入するための凹所を形成し、前記フィン基部の前端部にはこれを貫通させて第１軸体を設けて、前記凹所に、前記フィン基部を前記凹所に嵌入させた状態で前記第１軸体を着脱可能でかつ回動可能に係止する第１係止部と、前記フィン基部の後端部を係止する第２係止部とを設け、当該第２係止部は、前記第１軸体を中心とした所定以上の回動操作力でのみその係止状態を解消して前記フィン基部の後端部を凹所内から脱出させることができるように設定されているサーフボードのフィン取付構造。
【請求項２】
前記第２係止部を、前記第１軸体を中心としたフィン基部後端の回動軌跡内に一部が進入した前記凹所の後端面で構成した請求項１に記載のサーフボードのフィン取付構造。
【請求項３】
前記第１の係止部を、前記凹所の対向する両側面に形成されて前記フィン基部の前端部に設けた前記第１軸体の両端が嵌装される第１溝条で構成し、前記フィン基部を前記凹所内に嵌入した状態で前記第１溝条の前端面が前記第１軸体に当接している請求項１又は２に記載のサーフボードのフィン取付構造。
【請求項４】
前記第２係止部を、前記フィン基部の後端部にこれを貫通させて設けた第２軸体と、前記凹所の対向する両側面に形成されて前記第２軸体の両端が嵌装される第２溝条で構成し、前記第２溝条は、前記第１軸体を中心とした第２軸体の移動軌跡に一部を除いて沿い、かつ前記凹所の開口へ至っている請求項１ないし３のいずれかに記載のサーフボードのフィン取付構造。
【請求項５】
前記第１溝条と前記第２溝条を、前記凹所側面を前後方向へ延びる第３溝条で連通させた請求項４に記載のサーフボードのフィン取付構造。
【発明の詳細な説明】
【技術分野】
【０００１】
本発明はサーフボードのフィン取付構造に関し、特に、ネジ等を使用することなくボード本体にフィンを脱着可能に固定できるフィン取付構造に関する。
【背景技術】
【０００２】
サーフボードの方向性や安定性を確保するためにボード本体の底面にはフィンが取り付けられる。この際、搬送の便のため、あるいは波の状況等に応じて最適なフィンを使用できるようにするため、ボード本体からフィンを取り外し可能としたものがある。この場合、例えば特許文献１では、フィンをネジで脱着するのに代えて、フィンの基部にピンを設けて、このピンをボード本体に形成した溝に嵌装することによって、フィンを任意に着脱できるようにしている。
【特許文献１】実用新案登録第１０２５１７号
【発明の開示】
【発明が解決しようとする課題】
【０００３】
しかし、上記従来のフィン取付構造では、複雑な経路でピンと溝が嵌合しているため、サーファが転倒してボード本体のフィンに触れても当該フィンがボード本体から外れず、フィンに触れたサーファの身体が傷付くという問題があった。
【０００４】
そこで、本発明はこのような課題を解決するもので、ネジ等を使用することなくフィンをボード本体に着脱可能に固定できるとともに、サーファが転倒してフィンに触れた場合等には速やかにフィンがボード本体から外れて、サーファ身体への傷害を回避できるサーフボードのフィン取付構造を提供することを目的とする。
【課題を解決するための手段】
【０００５】
上記目的を達成するために、本第１発明では、サーフボードのボード本体（Ｂ）にフィン（Ｆ）の基部（３）を嵌入するための凹所（１１）を形成し、フィン基部（３）の前端部（３１）にはこれを貫通させて第１軸体（３４）を設けて、上記凹所（１１）に、フィン基部（３）を凹所（１１）に嵌入させた状態で第１軸体（３４）を着脱可能でかつ回動可能に係止する第１係止部（４１）と、フィン基部（３）の後端部（３２）を係止する第２係止部（１１ｃ，３５，４２）とを設け、当該第２係止部（１１ｃ，３５，４２）は、第１軸体（３４）を中心とした所定以上の回動操作力でのみその係止状態を解消してフィン基部（３）の後端部を凹所（１１）内から脱出させることができるように設定されている。
【０００６】
本第１発明においては、フィン基部をボード本体の凹所内に嵌入させると、これに設けた第１軸体が第１係止部により着脱可能に係止されるとともに、フィンの後端部が第２係止部により係止されて、フィンがネジ等を使用することなくボード本体に固定される。フィンをボード本体から取り外す場合には、第１軸体を中心とした所定以上の回動操作力をフィンに与えると、第２係止部の係止状態が解消されてフィン基部が第１軸体を中心にボード本体から回動離脱させられ、続いて第１係止部の係止状態を解消してフィンを容易にボード本体から取り外すことができる。ボード使用中にサーファが転倒してフィンに触れ、これによって第１軸体を中心とした所定以上の回動操作力が印加されると、第２係止部の係止状態が解消されてフィン基部が第１軸体を中心にボード本体から回動離脱させられるから、サーファ身体の損傷が避けられる。
【０００７】
本第２発明では、上記第２係止部を、第１軸体（３４）を中心としたフィン基部（３）後端の回動軌跡内に一部が進入した凹所（１１）の後端面（１１ｃ）で構成する。
【０００８】
本第３発明では、上記第１の係止部を、凹所（１１）の対向する両側面に形成されてフィン基部（３）の前端部（３１）に設けた第１軸体（３４）の両端が嵌装される第１溝条（４１）で構成し、フィン基部（３）を凹所（１１）内に嵌入した状態で第１溝条（４１）の前端面（４１ａ）が第１軸体（３４）に当接している。
【０００９】
本第４発明では、上記第２係止部を、フィン基部（３）の後端部にこれを貫通させて設けた第２軸体（３５）と、凹所（１１）の対向する両側面に形成されて第２軸体（３５）の両端が嵌装される第２溝条（４２）で構成し、第２溝条（４２）は、第１軸体（３４）を中心とした第２軸体（３５）の移動軌跡に一部を除いて沿い、かつ凹所（１１）の開口へ至っている。
【００１０】
本第５発明では、上記第１溝条（４１）と第２溝条（４２）を、凹所（１１）側面を前後方向へ延びる第３溝条（４３）で連通させる。本第５発明によれば、第３溝条を経て第２溝条から第１軸体を凹所外へ脱出させることができるとともに、サーファが転倒してフィンに触れても第１軸体は容易には離脱しないから、フィンの紛失を防止することができる。
【００１１】
なお、上記カッコ内の符号は、後述する実施形態に記載の具体的手段との対応関係を示すものである。
【発明の効果】
【００１２】
以上のように、本発明のサーフボードのフィン取付構造によれば、ネジ等を使用することなくフィンをボード本体に着脱可能に固定できるとともに、サーファが転倒してフィンに触れた場合等には速やかにフィンがボード本体から外れて、サーファ身体への傷害を回避することができる。
【発明を実施するための最良の形態】
【００１３】
図１にはサーフボードのフィン取付部の斜視図を示し、図２にはフィンを取り付けた状態での断面図を示す。各図において、樹脂製の取付部材１がサーフボードのボード本体Ｂの底面内に埋設されている。樹脂製のフィンＦは先細となりつつ湾曲するフィン本体２と、後述するボード本体Ｂ側の取付部材１内に嵌着されるフィン基部３とから構成されている。フィン基部３は略長方形の板状のもので、フィン本体２に対して前後方向へずれた状態でこれと一体に成形されている。フィン基部３には前端部３１と後端部３２にそれぞれ、板面を厚み方向へ貫通する貫通孔３３が形成され、各貫通孔３３の中心に第１軸体３４と第２軸体３５が挿通してある。第１軸体３４および第２軸体３５の外周と貫通孔３３の内周との間にはゴム層３６が設けてあり、このゴム層３６の弾性変形によって第１および第２軸体３４，３５は貫通孔３３内で一定量偏心移動できるようになっている。なお、フィン基部３の前端面は図の上半（ボード使用時には下半）が円弧状に成形され、下半は平面状に面取りされた規制面３４ａとなっている。また、フィン基部３の後端面３２ａは図の下半が凸曲面に成形されている。
【００１４】
取付部材１は図の上方（すなわちボード本体Ｂの底面下方）へ開放する一定長の細長容器体で、ボード本体Ｂの底面内に埋設されており、容器体の側壁に囲まれた細長の凹所１１は、フィン基部３の外形と略等しい形状となっている。すなわち、凹所１１はその前端面１１ａが上記フィン基部３の前端面上半に沿う円弧面に成形されるとともに、底面１１ｂはフィン基部３の下面に沿った平面となっている。また、凹所１１の後端面１１ｃはほぼフィン基部３の後端面３２ａに沿う形状となり、後端面１１ｃの上半は凹所１１開口縁で外方へ湾曲している。
【００１５】
上記凹所１１の、幅方向で対向する側面にはそれぞれ上記第１および第２軸体３４，３５の外径よりもやや大きい幅の溝条４が形成されている。溝条４は、側面の前端部に形成されて上方（ボード使用時には下方）へ湾曲する先端閉鎖の第１溝条４１と、側面の後端部に形成されて上方の凹所１１開口に至って開放している第２溝条４２、および前後方向へ延びて上記第１溝条４１と第２溝条４２を連通させる第３溝条４３で構成されている。ここで、第２溝条４２の最奥で第３溝条４３との境界コーナ部には第２軸体３５の後半外周に沿った形状の凹部４４とその直上に凸部４５が形成されている。
【００１６】
このようなフィン取付構造において、図２に対して上下を逆にした図３（１）に示すボード使用状態では、フィン基部３の前端部３１に設けた第１軸体３４が第１溝条４１内でその前端面４１ａに接して位置しており、これによりフィン基部３およびフィン本体２は第１軸体３４を中心に回動可能である。この時、第２軸体３５は第２溝条４２の凹部４４内に位置しており、第２軸体３５が第１軸体３４を中心とした回動軌跡で下方へ移動しようとしても、凸部４５の存在によって第２溝条４２はその一部が第２軸体３５の移動軌跡から外れているため、第２軸体３５の移動は規制されている。
【００１７】
また、凹所１１の後端面１１ｃは大部分がフィン基部３の後端面３２ａに沿った形状になっているから、第１軸体３４を中心とした回動軌跡でフィン基部３後端が下方へ移動しようとしても、凹所後端面３２ａの一部がフィン基部３後端の回動軌跡内に進入した状態となって、フィン基部３後端の移動は規制されている。このようにして、フィンＦはボード本体Ｂから脱落することなく凹所１１内に嵌着される。なお、第１溝条４１の前端面４１ａと第２溝条４２の凹部４４の間隔を適当に設定することによって、第１軸体３４と第２軸体を、これらの周囲のゴム層３６（図２）の変形弾性力で前端面４１ａと凹部４４に押し付けるようにすることができる。
【００１８】
フィンＦをボード本体Ｂから取り外す場合には、第１軸体３４を中心とした一定以上の回動操作力をフィン本体２に与えると、フィン基部３後端とこれに接する凹所後端面１１ｃが互いに押圧されて弾性変形することと、周囲のゴム層３６の弾性変形により第２軸体３５が凸部４５からの押圧力に応じて偏心移動することによって、第２軸体が第２溝条内を下方へ移動し、フィン基部３が図３（２）に示すように、第１軸体３４を中心にして取付部材１の凹所１１内から下方へ回動離脱する。この回動は、図４（１）に示すように、フィン基部３の規制面３１ａが凹所１１の底面１１ｂに当接することによって規制される。
【００１９】
この状態で第１溝条４１に沿ってフィンＦを上方へ押し、さらに、図４（２）に示すように規制面３１ａを凹所底面１１ｂに当接させないようにして、すなわち規制面３１ａが凹所底面１１ｂに平行になるようにして、第１軸体３４を第３溝条４３に案内させながらフィンＦを前方へ移動させる。そして、第１軸体３４を第２溝条４２に沿って下方へ移動させて当該溝条４２から抜き出し（図５（１）、（２））、フィンＦをボード本体Ｂから分離する。
【００２０】
フィンＦをボード本体Ｂに取り付ける場合は、以上の行程を逆に行い、第１溝条４１内の前端面４１ａに第１軸体３４を当接させてこれを中心にフィンＦを上方へ回動させて、フィン基部３後端を凹所１１内に押し込んでフィン基部３後端を凹所後端面１１ｃに当接させると同時に、第２軸体３５を第２溝条４２の凹部４４内に位置させる。これにより、フィン基部３を凹所１１内に嵌着し、フィンＦをボード本体Ｂに固定する。
【００２１】
なお、ボード使用中にサーファが転倒してボード本体ＢのフィンＦ後部に触れ、第１軸体３４を中心とした一定以上の回動操作力がフィン本体Ｆに印加されると、フィンＦは速やかに図４（１）に示すようにボード本体Ｂから回動離脱させられる。これにより、サーファ身体の損傷が避けられる。この場合、規制面３１ａが凹所１１の底面１１ｂに当接するからフィンＦが前方へ移動することは阻止され、フィンＦがボード本体Ｂから分離して紛失してしまうことはない。
【００２２】
上記実施形態において、凹所１１を形成した取付部材１をボード本体Ｂに埋設するのに代えて、凹所１１をボード本体Ｂに直接形成するようにしても良い。また、第１軸体３４や第２軸体３５を係止する構造は必ずしも溝条には限られない。フィン基部３後端の係止構造は、凹所後端面１１ｃとの当接、あるいは第２溝条４２のいずれか一方のみを採用することができる。さらに、第１溝条４１と第２溝条４２を第３溝条４３で連通させる構造を採用する必要は必ずしも無く、第１溝条４１を凹所１１開口へ延出させて第１軸体３４を直接脱出させる構造としても良い。また、第２溝条４２の凸部４５に代えて、第２溝条４２の一部を、第１軸体３４を中心とした第２軸体３５の移動軌跡から外れるようにしても同様の効果が得られる。
【図面の簡単な説明】
【００２３】
【図１】本発明の一実施形態を示す、フィンを離脱させた状態でのフィン取付部を、ボード本体の底面側から見た斜視図である。
【図２】フィンを嵌着させた状態でのボード本体底面におけるフィン取付部の断面図である。
【図３】フィンをボード本体から取り外す行程を示すフィン取付部の断面図である。
【図４】フィンをボード本体から取り外す行程を示すフィン取付部の断面図である。
【図５】フィンをボード本体から取り外す行程を示すフィン取付部の断面図である。
【符号の説明】
【００２４】
１…取付部材、１１…凹所、１１ｃ…後端面、２…フィン本体、３…フィン基部、３１…前端部、３２…後端部、３４…第１軸体、３５…第２軸体、４１…第１溝条、４１ａ…前端面、４２…第２溝条、４３…第３溝条、Ｂ…ボード本体、Ｆ…フィン。
【図１】
2006280839.tif 000003
【図２】
2006280839.tif 000004
【図３】
2006280839.tif 000005
【図４】
2006280839.tif 000006
【図５】
2006280839.tif 000007